(57)【要約】【課題】容易にリモコン番号の設定ができるリモコン装置によって操作可能な本体機器を提供する。【解決手段】前記リモコン装置から送信されるリモコン信号を受信する受信手段と、該本体機器において設定されているリモコン番号と、前記受信手段によって受信したリモコン信号のリモコン番号とを比較する比較手段と、前記比較手段において比較したリモコン番号が異なっている場合、該本体機器におけるリモコン番号を前記受信信号のリモコン番号に変更するリモコン番号設定手段とを備える。【選択図】図６
2008035195.tif 000002
【特許請求の範囲】
【請求項１】
リモコン装置によって操作可能な本体機器において、
前記リモコン装置から送信されるリモコン信号を受信する受信手段と、
該本体機器において設定されているリモコン番号と、前記受信手段によって受信したリモコン信号のリモコン番号とを比較する比較手段と、
前記比較手段において比較したリモコン番号が異なっている場合、該本体機器におけるリモコン番号を前記受信信号のリモコン番号に変更するリモコン番号設定手段とを備えることを特徴とする本体機器。
【請求項２】
前記リモコン信号を予め決められた期間以上受信したかどうかを判定する期間判定手段をさらに備え、前記リモコン番号設定手段は、前記期間判定手段が前記リモコン信号を前記期間以上受信したと判定した場合にのみ前記リモコン番号の設定を行うことを特徴とする、請求項１記載の本体機器。
【請求項３】
前記受信手段が受信したリモコン信号が前記リモコン装置の特定のキーを押下したことによって送信される信号であるかどうかを判定するキー判定手段をさらに備え、前記リモコン番号設定手段は、前記キー判定手段が、前記リモコン信号が前記リモコン装置の特定キーを押下したことによって送信されるリモコン信号であると判定した場合にのみ前記リモコン番号の設定を行うことを特徴とする、請求項１又は２記載の本体機器。
【請求項４】
前記リモコン番号設定手段は、該本体機器が電源スタンバイモードの状態で前記リモコン装置から送信されるリモコン信号を受信した場合にのみ前記リモコン番号の設定を行うことを特徴とする、請求項１乃至３のいずれか１項に記載の本体機器。
【請求項５】
表示部をさらに備え、前記比較手段が比較したリモコン番号が異なっている場合、前記表示部に所定の表示を行うことを特徴とする請求項１乃至４のいずれか１項に記載の本体機器。
【請求項６】
前記リモコン番号設定手段がリモコン番号の設定を行った場合、前記表示部に他の所定の表示を行うことを特徴とする請求項５記載の本体機器。
【請求項７】
本体機器がリモコン装置から送信されるリモコン信号を受信する受信ステップと、
前記本体機器において設定されているリモコン番号と、前記受信ステップにおいて受信したリモコン信号のリモコン番号とを比較する比較ステップと、
前記比較ステップにおいて比較したリモコン番号が異なっている場合、前記本体機器におけるリモコン番号を前記リモコン信号のリモコン番号に変更するリモコン番号設定ステップとを含むことを特徴とする、リモコン番号設定方法。
【請求項８】
前記リモコン信号を予め決められた期間以上受信したかどうかを判定する期間判定ステップをさらに含み、前記期間判定ステップにおいて前記リモコン信号を前記期間以上受信したと判定した場合にのみ前記リモコン番号設定ステップを行うことを特徴とする、請求項７記載のリモコン番号設定方法。
【請求項９】
前記受信ステップで受信したリモコン信号が前記リモコン装置の特定のキーを押下したことによって送信される信号であるかどうかを判定するキー判定ステップをさらに含み、前記キー判定ステップにおいて前記リモコン信号が前記リモコン装置の特定キーを押下したことによって送信されるリモコン信号であると判定した場合にのみ前記リモコン番号設定ステップを行うことを特徴とする、請求項７又は８に記載のリモコン番号設定方法。
【請求項１０】
前記受信ステップにおいて前記本体機器が電源スタンバイモードの状態で前記リモコン装置から送信されるリモコン信号を受信した場合にのみ以後のステップを行うことを特徴とする請求項７乃至９のいずれか１項に記載のリモコン番号設定方法。
【請求項１１】
前記比較ステップにおいて比較したリモコン番号が異なっている場合、前記本体機器における表示部に所定の表示を行うリモコン番号表示ステップをさらに含むことを特徴とする請求項７乃至１０のいずれか１項に記載のリモコン番号設定方法。
【請求項１２】
前記リモコン番号設定ステップにおいてリモコン番号の設定を行った場合、前記本体機器における表示部に所定の表示を行うリモコン番号設定表示ステップをさらに含むことを特徴とする請求項７乃至１１のいずれか１項に記載のリモコン番号設定方法。
【発明の詳細な説明】
【技術分野】
【０００１】
本発明は、主にテレビジョン受像機やＤＶＤレコーダなどの家電機器を制御するのに使用されるリモコン装置および本体機器に関し、特に、本体機器におけるリモコン番号を設定する方法と本体機器に関する。
【背景技術】
【０００２】
近年、設置場所から離れたところから使用することが想定されるテレビジョン受像機やＤＶＤレコーダなどの家電機器では、本体に設けられた操作部での操作に加えて、リモコン装置を使用して遠隔操作するのが一般的になっている（例えば、特許文献１参照）。各機器は、専用のリモコン装置と共に販売されることも多い。リモコン装置は、赤外線のＰＰＭ（Ｐｕｌｓｅ  Ｐｏｓｉｔｉｏｎ  Ｍｏｄｕｌａｔｉｏｎ：パルス位置変調）信号を用いるものが一般的である。
【０００３】
各機器のリモコン装置から送信される信号のフォーマットは、メーカ毎に異なるが、例えば、財団法人家電製品協会によって定められたフォーマットなどが採用されている。以下、この家電製品協会フォーマットを例として説明する。
【０００４】
図１は、ＰＰＭ信号を説明する図である。パルス幅Ｔのパルス信号の後にパルス幅Ｔと同じ時間の無信号時間がある場合「０」、パルス幅Ｔの３倍の無信号時間がある場合「１」を表す。家電製品協会フォーマットの場合、パルス幅Ｔは０．３５ｍｓ〜０．５ｍｓであり、キャリア周波数は３０ｋＨｚ〜４０ｋＨｚである。
【０００５】
家電製品協会フォーマットは、図２に示すように、通信の始まりを示すリーダ部と、データ部と、通信の終わりを示すトレーラ部から成る。リーダ部は、図３に示すように、信号部８Ｔと無信号部４Ｔから成る。トレーラ部は、図４に示すように、信号部Ｔと無信号部８ｍｓ以上から成る。
【０００６】
データ部の構成の一例を図５に示す。最初の２バイトのＣ０及びＣ１はカスタムコード部で、使用する本体機器を指定する。第３バイトの最初の４ビットはカスタムコードのパリティ部である。第３バイトの残りの４ビットと、４バイト目以降のＤ０〜Ｄｎはデータコード部であり、本体機器を制御し、リモコン装置の各キーに割り当てられた機能を行わせるための制御コードを含む。
【０００７】
【特許文献１】特開平１０−０６９７５６号公報
【発明の開示】
【発明が解決しようとする課題】
【０００８】
カスタムコード部は、メーカ毎、機種毎に設定されており、所定のリモコン装置による操作は、対応するメーカ、機種の本体機器のみが応答するようになっている。
【０００９】
しかしながら、例えばビデオテープレコーダやＤＶＤレコーダのような記録機器の場合など、ユーザが同じメーカの機種を複数購入するなどして、同一のリモコン装置で操作可能な複数の本体機器が近い場所に設置されることがある。このような場合、ある機器をリモコンで操作しようとして信号を送信すると、同じリモコンコードを使用する他の機器がこの信号を受信し、意図していない動作を行ってしまうおそれがある。
【００１０】
このような問題を解決するために、多くの場合、機器ごとに複数のリモコン番号を設定できるようにして、所望の機器のみを所定のリモコンで操作できるようにしている。
【００１１】
しかしながら、従来の機器におけるリモコン番号の設定方法では、ユーザが、リモコン装置のリモコン番号をリモコン装置に設けられているスイッチを切り替えるなどして変更し、この番号を覚えておき、その番号を念頭において本体機器のリモコン番号を本体機器に設けられたスイッチを切り替えるなどして設定する必要があり、操作が多く面倒であった。
【００１２】
本発明は、上述したことを鑑み、容易にリモコン番号の設定ができるリモコン番号設定方法および本体機器を提供することを目的とする。
【課題を解決するための手段】
【００１３】
本発明による、リモコン装置によって操作可能な本体機器は、前記リモコン装置から送信されるリモコン信号を受信する受信手段と、該本体機器において設定されているリモコン番号と、前記受信手段によって受信したリモコン信号のリモコン番号とを比較する比較手段と、前記比較手段において比較したリモコン番号が異なっている場合、該本体機器におけるリモコン番号を前記受信信号のリモコン番号に変更するリモコン番号設定手段とを備えることを特徴とする。
【００１４】
好適には、前記リモコン信号を予め決められた期間以上受信したかどうかを判定する期間判定手段をさらに備え、前記リモコン番号設定手段は、前記期間判定手段が前記リモコン信号を前記期間以上受信したと判定した場合にのみ前記リモコン番号の設定を行う。
【００１５】
好適には、前記受信手段が受信したリモコン信号が前記リモコン装置の特定のキーを押下したことによって送信される信号であるかどうかを判定するキー判定手段をさらに備え、前記リモコン番号設定手段は、前記キー判定手段が、前記リモコン信号が前記リモコン装置の特定キーを押下したことによって送信されるリモコン信号であると判定した場合にのみ前記リモコン番号の設定を行う。
【００１６】
好適には、前記リモコン番号設定手段は、該本体機器が電源スタンバイモードの状態で前記リモコン装置から送信されるリモコン信号を受信した場合にのみ前記リモコン番号の設定を行う。
【００１７】
好適には、表示部をさらに備え、前記比較手段が比較したリモコン番号が異なっている場合、前記表示部に所定の表示を行う。
【００１８】
好適には、前記リモコン番号設定手段がリモコン番号の設定を行った場合、前記表示部に他の所定の表示を行う。
【００１９】
本発明によるリモコン番号設定方法は、本体機器がリモコン装置から送信されるリモコン信号を受信する受信ステップと、前記本体機器において設定されているリモコン番号と、前記受信ステップにおいて受信したリモコン信号のリモコン番号とを比較する比較ステップと、前記比較ステップにおいて比較したリモコン番号が異なっている場合、前記本体機器におけるリモコン番号を前記リモコン信号のリモコン番号に変更するリモコン番号設定ステップとを含むことを特徴とする。
【００２０】
好適には、前記リモコン信号を予め決められた期間以上受信したかどうかを判定する期間判定ステップをさらに含み、前記期間判定ステップにおいて前記リモコン信号を前記期間以上受信したと判定した場合にのみ前記リモコン番号設定ステップを行う。
【００２１】
好適には、前記受信ステップで受信したリモコン信号が前記リモコン装置の特定のキーを押下したことによって送信される信号であるかどうかを判定するキー判定ステップをさらに含み、前記キー判定ステップにおいて前記リモコン信号が前記リモコン装置の特定キーを押下したことによって送信されるリモコン信号であると判定した場合にのみ前記リモコン番号設定ステップを行う。
【００２２】
好適には、前記受信ステップにおいて前記本体機器が電源スタンバイモードの状態で前記リモコン装置から送信されるリモコン信号を受信した場合にのみ以後のステップを行う。
【００２３】
好適には、前記比較ステップにおいて比較したリモコン番号が異なっている場合、前記本体機器における表示部に所定の表示を行うリモコン番号表示ステップをさらに含む。
【００２４】
好適には、前記リモコン番号設定ステップにおいてリモコン番号の設定を行った場合、前記本体機器における表示部に所定の表示を行うリモコン番号設定表示ステップをさらに含む。
【発明の効果】
【００２５】
本発明によれば、簡単な操作で装置本体におけるリモコン番号の設定を行うことができる。
【発明を実施するための最良の形態】
【００２６】
図６は、リモコン装置で操作可能な本発明による本体機器のリモコン番号設定方法に関する部分の構成を示すブロック図である。本体機器は、リモコン装置からのリモコン信号を受信する受信部１と、受信部１が受信したリモコン信号のリモコン番号を本体機器において設定されているリモコン番号と比較する比較部２と、受信部１がリモコン信号を予め決められた期間受信したかどうかを判定する期間判定部３と、受信部１が受信したリモコン信号がリモコン装置の特定のキーの押下によって送信されるリモコン信号であるかどうかを判定するキー判定部４と、受信部１が受信したリモコン信号のリモコン番号が本体機器のリモコン番号と異なり、リモコン信号が予め決められた期間受信されており、リモコン信号がリモコン装置の特定のキーの押下によって送信されるリモコン装置である場合、本体機器のリモコン番号をリモコン信号のリモコン番号に設定するリモコン番号設定部５と、リモコン信号のリモコン番号と本体機器のリモコン番号が異なる場合及びリモコン番号が設定された場合に各々所定の表示を行う表示部６とを備える。これらの各部は電源がスタンバイモードの場合において動作する。
【００２７】
図７は、本発明のリモコン番号設定方法の手順を説明するフローチャートである。
ユーザは、リモコン番号を変更したい場合、リモコン装置におけるリモコン番号を、例えばリモコン装置に設けられたスイッチを切り替えることにより、所望のリモコン番号に設定し、リモコン番号を変更したい本体機器を電源スタンバイモードにする。この際、本体機器が複数ある場合、他の本体機器の電源はオン又はオフの状態にしておく。本リモコン番号設定方法の手順を開始するステップＳ１０１では、本体機器を電源スタンバイモードにする。
【００２８】
ステップＳ１０２では、リモコン装置から送信されるリモコン信号を受信する。ステップＳ１０３では、受信したリモコン信号のリモコン番号と、本体装置において設定されているリモコン番号とを比較する。
【００２９】
ステップＳ１０３で比較したリモコン番号が同じである場合、ステップＳ１０４に進み、リモコン信号の制御コードが電源スタンバイモードにおいて有効なものであるかどうかを判定する。制御コードが有効なものである場合、ステップＳ１０５に進み、この制御コードによって特定される動作を行う。制御コードが有効なものではない場合、ステップＳ１０２に戻り、次のリモコン信号の受信を待機する。
【００３０】
ステップＳ１０３で比較したリモコン番号が異なる場合、ステップＳ１０６に進み、本体装置の表示部においてリモコン番号が異なっていることを知らせる表示を行う。例えば、本体装置において設定されているリモコン番号を点滅表示させる。
【００３１】
次に、ステップＳ１０７では、前記リモコン信号を予め決められた期間（例えば５秒間）以上受信したかどうかを判定する。予め決められた期間以上受信していない場合、ステップＳ１０２に戻り、次のリモコン信号の受信を待機する。予め決められた期間以上受信している場合、ステップＳ１０８に進む。
【００３２】
ステップＳ１０８では、受信したリモコン信号が、リモコン装置の特定のキーの押下によって送信されるリモコン信号であるかどうかを判定する。これには、リモコン信号に含まれる制御コードを確認すればよい。リモコン信号が特定のキー以外のキーの押下によるものである場合、ステップＳ１０２に戻り、次のリモコン信号の受信を待機する。特定のキーの押下によるものである場合、ステップＳ１０９に進む。
【００３３】
ステップＳ１０７及びＳ１０８における判定は、受信したリモコン信号が、ユーザがリモコン番号を設定する意図をもって送信したものであることを確認するためのものである。ユーザは、リモコン装置の特定キーを予め決められた期間以上押下し、リモコン信号を本体装置に送信する。特定キーとしては、従来のリモコン装置に備わるいずれのキーに代用させてもよく、好適には、本体機器が電源スタンバイモードの状態において、本体機器が受信を検出するリモコン信号に割り当てられたキーとする。いずれのキーを特定キーとして使用するかは、本体装置において予め設定されている。
【００３４】
ステップＳ１０９では、本体機器のリモコン番号の設定を、送信されたリモコン信号のリモコン番号に変更する。この際、本体装置の表示部においてリモコン番号が変更されたことを知らせる表示を行う。例えば、新たに設定されたリモコン番号を点滅表示させる。
【００３５】
以上で本体機器のリモコン番号はリモコン装置のリモコン番号と同じに設定されたので、本体機器はリモコン装置によって操作可能となる。
【００３６】
本体機器が複数ある場合を想定し、本体機器のメニュー等を用いて事前に特定キーを各々の本体機器毎に設定しておいてもよい。
【００３７】
または、生産時に本体機器における特定キーの設定をランダムに変えておいてもよい。このようにすれば、同一のユーザが複数の本体機器を購入した場合、同一の特定キーとなる可能性は低くなるので、所望の本体機器のリモコン番号設定を行うことが容易になる。リモコン装置による操作時に、リモコン装置のリモコン番号と本体機器のリモコン番号が異なる場合、表示部において本体機器のリモコン番号設定に対応する特定キーを表示してもよい。
【００３８】
リモコン番号を変更したくない本体機器がある場合を想定し、リモコン番号設定を無効にするモードを設けてもよい。
【００３９】
以上説明したように、本発明のリモコン番号設定方法によれば、ユーザはリモコン装置の特定キーを予め決められた期間以上押下するだけで、容易に本体装置のリモコン番号を設定することができる。リモコン装置は従来のものをそのまま使用することができ、本体装置においてはリモコン操作に関する部分のみを変更すればよいため、従来の製品に容易に適用することができ、コストもかからない。
【産業上の利用可能性】
【００４０】
本発明は、リモコン番号設定に利用可能である。
【図面の簡単な説明】
【００４１】
【図１】ＰＰＭ信号を説明する図である。
【図２】赤外線リモコンの家電製品協会フォーマットを説明する図である。
【図３】リーダ部を説明する図である。
【図４】トレーラ部を説明する図である。
【図５】データ部を説明する図である。
【図６】本発明による本体機器のリモコン番号設定に関する部分の構成を示すブロック図である。
【図７】本発明のリモコン番号設定方法の処理を説明するフローチャートである。
【符号の説明】
【００４２】
１  受信部
２  比較部
３  期間判定部
４  キー判定部
５  リモコン番号設定部
６  表示部
【図１】
2008035195.tif 000003
【図２】
2008035195.tif 000004
【図３】
2008035195.tif 000005
【図４】
2008035195.tif 000006
【図５】
2008035195.tif 000007
【図６】
2008035195.tif 000008
【図７】
2008035195.tif 000009